(57)【要約】【課題】位置合わせした状態の安定性を向上させる吊り下げ構造を提供する。【解決手段】吊りボルト１０と調整部材３０とを備えて天井に開けられた開口１００Ａに照明装置２０を保持する構造１であって、第１固定部材４０と第２固定部材５０とを備え、調整部材３０が横方向に広がる板状のローワー部と、横方向に広がる板状で長手方向に延びた長穴を有するアッパー部と、ローワー部の一方の端から立ち上がりアッパー部の一方の端につながった左サイド部と、ローワー部の他方の端から立ち上がった右サイド部と、右サイド部の上端からアッパー部側へ延びてアッパー部の一部に重なる当接部と、を備え、ローワー部とアッパー部と左サイド部と右サイド部と当接部とが一体に構成されている。【選択図】図１
2019192483.tif 000002
【特許請求の範囲】
【請求項１】
天井の裏側に設けられた吊りボルトと、
上記吊りボルトに取り付けられて照明装置を支える調整部材と、を備えており、
上記照明装置の位置が上記調整部材によって調整されて、上記天井に開けられた開口に上記照明装置を保持する構造であって、
上記調整部材を上記吊りボルトに固定する第１固定部材と、
上記調整部材を上記照明装置に固定する第２固定部材と、を備えており、
上記調整部材が、
横方向に広がる板状に形成されていて、上記照明装置を上記第２固定部材によって下に取り付けられるローワー部と、
上記ローワー部の上に距離を置いて設けられ、上記横方向に広がる板状に形成されて上記横方向に延びた長穴を有していて、上記吊りボルトを上記長穴に通した状態で上記第１固定部材によって上記吊りボルトに取り付けられるアッパー部と、
上記ローワー部の一方の端から立ち上がり上記アッパー部の一方の端につながった左サイド部と、
上記ローワー部の他方の端から立ち上がった右サイド部と、
上記右サイド部の上端から上記アッパー部側へ延びて上記アッパー部の一部に重なる当接部と、を備え、
上記ローワー部と上記アッパー部と上記左サイド部と上記右サイド部と上記当接部とが一体に構成されていることを特徴とする、照明装置の吊り下げ構造。
【請求項２】
上記当接部を上記アッパー部の他方の端に重ねた状態に維持するロック部を備えていることを特徴とする、請求項１に記載の吊り下げ構造。
【請求項３】
長尺状に形成されており、一端側が上記第１固定部材に取り付けられ他端側が上記第２固定部材取り付けられた落下防止部材を備えていることを特徴とする、請求項１又は請求項２に記載の吊り下げ構造。
【請求項４】
複数の上記吊りボルトと、それぞれの上記吊りボルトに取り付けられた上記調整部材と、を備えたことを特徴とする、請求項１から請求項３の何れかに記載の吊り下げ構造。
【請求項５】
上記照明装置がライン照明装置であることを特徴とする、請求項４に記載の吊り下げ構造。
【請求項６】
照明装置取付用のローワー部と、上記ローワー部の上に距離を置いて設けられた吊りボルト取付用のアッパー部と、を備え、上記アッパー部において吊りボルトを取り付けることができる領域が上記ローワー部における照明装置を取り付けることができる領域より横に広がっていて、剛体として構成された調整部材を用いて、
天井埋め込み型の上記照明装置を、上記天井の裏側に設けられる上記吊りボルトに取り付ける方法であって、
上記調整部材が回転自在に上記ローワー部を上記照明装置上に仮止めされた状態で、上記照明装置を上記天井に開けられた開口に入れる工程と、
上記調整部材を上記照明装置上で回転して上記アッパー部を上記吊りボルトに合わせる工程と、
上記調整部材の上記アッパー部を上記吊りボルトに固定する工程と、
上記調整部材の上記ローワー部を上記調整部材に固定する工程と、を含むことを特徴とする、照明装置の取付方法。
【請求項７】
天井の裏側に設けられた吊りボルトと、照明装置との間に設けられて、
上記吊りボルトに対する上記照明装置の位置を調整するための金具であって、
横方向に広がる板状に形成されていて、上記照明装置に固定するためのボルトを入れる穴を備えたローワー部と、
上記ローワー部の上に距離を置いて設けられ、上記横方向に広がる板状に形成されて上記吊りボルトを入れる長穴を上記横方向に沿って備えたアッパー部と、
上記ローワー部の一方の端から立ち上がり上記アッパー部の一方の端につながった左サイド部と、
上記ローワー部の他方の端から立ち上がった右サイド部と、
上記右サイド部の上端から上記アッパー部側へ延びて上記アッパー部の一部に重なる当接部と、を備え、
上記ローワー部と上記アッパー部と上記左サイド部と上記右サイド部と上記当接部とが一体に構成されていることを特徴とする、調整部材。
【発明の詳細な説明】
【技術分野】
【０００１】
本発明は、天井の開口に照明装置を設置する構造に関する。
【背景技術】
【０００２】
劇場やホールなどの高天井構造として、複数のパネルを配置して天井裏などの構造物を目隠しするものが知られている。従来の高天井構造は、客席などを照らす照明装置を設置するために、パネルに設けられる開口と、この開口に合わせて天井裏の構造物に一端側を固定して垂れ下がる吊りボルトとを備えており、照明装置が吊りボルトに支えられて開口に配置されている。
【先行技術文献】
【特許文献】
【０００３】
【特許文献１】特開２００６−２２８５５２号公報
【発明の概要】
【発明が解決しようとする課題】
【０００４】
照明装置の設置の際、開口と吊りボルトとの位置がずれている場合には、吊りボルトを曲げるなどの加工を施す必要があり、施工の作業が煩雑となってしまう。従来、このような位置ずれを解消するために、調整部材を用いて、吊りボルトに対して照明装置を変位させて、開口に合わせることが行われている。
【０００５】
特許文献１に開示の吊り下げ構造は調整部材を備えており、調整部材は、吊りボルトに取り付けられるボルト側部材と、照明装置に取り付けられる照明側部材と、ボルト側部材と照明側部材との間に設けられる連結部材と、を備えている。ボルト側部材に対して照明側部材を変位させて照明装置の位置が調整されている。
【０００６】
しかしながら、特許文献１などの従来の吊り下げ構造では、ボルト側部材に対して照明側部材が固定されていないため、施工後に照明装置の姿勢が傾くなど、安定した取り付け状態を維持することができない恐れがある。
【０００７】
そこで、本発明は、位置合わせした状態の安定性を向上させる吊り下げ構造、照明装置の取付方法と、これらに用いる調整部材とを提供することを目的とする。
【課題を解決するための手段】
【０００８】
本発明の照明装置の吊り下げ構造は、天井の裏側に設けられた吊りボルトと、上記吊りボルトに取り付けられて照明装置を支える調整部材と、を備えており、上記照明装置の位置が上記調整部材によって調整されて、上記天井に開けられた開口に上記照明装置を保持する構造であって、上記調整部材を上記吊りボルトに固定する第１固定部材と、上記調整部材を上記照明装置に固定する第２固定部材と、を備えている。上記調整部材が、横方向に広がる板状に形成されていて、上記照明装置を上記第２固定部材によって下に取り付けられるローワー部と、上記ローワー部の上に距離を置いて設けられ、上記横方向に広がる板状に形成されて上記横方向に延びた長穴を有していて、上記吊りボルトを上記長穴に通した状態で上記第１固定部材によって上記吊りボルトに取り付けられるアッパー部と、上記ローワー部の一方の端から立ち上がり上記アッパー部の一方の端につながった左サイド部と、上記ローワー部の他方の端から立ち上がった右サイド部と、上記右サイド部の上端から上記アッパー部側へ延びて上記アッパー部の一部に重なる当接部と、を備えている。上記ローワー部と上記アッパー部と上記左サイド部と上記右サイド部と上記当接部とが一体に構成されている。本発明が対象とする上記照明装置は、特に限定されるものではないが、例えば重量が１．０ｋｇ〜１０．０ｋｇである。
【０００９】
また、本発明の照明装置の取付方法は、照明装置取付用のローワー部と、上記ローワー部の上に距離を置いて設けられた吊りボルト取付用のアッパー部と、を備え、上記アッパー部において吊りボルトを取り付けることができる領域が上記ローワー部における照明装置を取り付けることができる領域より横に広がっていて、剛体として構成された調整部材を用いて、天井埋め込み型の上記照明装置を、上記天井の裏側に設けられる上記吊りボルトに取り付ける方法である。上記照明装置の取付方法は、上記調整部材が回転自在に上記ローワー部を上記照明装置上に仮止めされた状態で、上記照明装置を上記天井に開けられた開口に入れる工程と、上記調整部材を上記照明装置上で回転して上記アッパー部を上記吊りボルトに合わせる工程と、上記調整部材の上記アッパー部を上記吊りボルトに固定する工程と、上記調整部材の上記ローワー部を上記調整部材に固定する工程と、を含む。
【００１０】
さらに、本発明の調整部材は、天井の裏側に設けられた吊りボルトと、照明装置との間に設けられて、上記吊りボルトに対する上記照明装置の位置を調整するための金具である。上記調整部材は、横方向に広がる板状に形成されていて、上記照明装置に固定するためのボルトを入れる穴を備えたローワー部と、上記ローワー部の上に距離を置いて設けられ、上記横方向に広がる板状に形成されて上記吊りボルトを入れる長穴を上記横方向に沿って備えたアッパー部と、上記ローワー部の一方の端から立ち上がり上記アッパー部の一方の端につながった左サイド部と、上記ローワー部の他方の端から立ち上がった右サイド部と、上記右サイド部の上端から上記アッパー部側へ延びて上記アッパー部の一部に重なる当接部と、を備え、上記ローワー部と上記アッパー部と上記左サイド部と上記右サイド部と上記当接部とが一体に構成されている。
【発明の効果】
【００１１】
本発明によれば、調整部材の変形を抑えて、照明装置を安定して開口に保持することができる。また、調整部材を照明装置上で向きを変えるだけで吊りボルトとの位置合わせを行え、また調整部材の組み立ても不要であり、照明装置の取付が容易である。
【図面の簡単な説明】
【００１２】
【図１】（ａ）は本発明の第１実施形態の吊り下げ構造を示す分解斜視図であり、（ｂ）は本発明の第１実施形態の吊り下げ構造を示す正面図である。
【図２】（ａ）から（ｅ）は本発明の第１実施形態の調整部材を示す図である。
【図３】本発明の第１実施形態の吊り下げ構造の他の構成例を示す分解斜視図である。
【図４】（ａ）は本発明の第１実施形態の変形例の調整部材を示す正面図であり、（ｂ）が本発明の第１実施形態の変形例の調整部材を示す平面図であり、（ｃ）が（ｂ）のＡ１−Ａ１線に沿った断面図である。
【図５】（ａ）は本発明の第２実施形態の吊り下げ構造を示す正面図であり、（ｂ）は本発明の第２実施形態の落下防止部材の取付構造を示す図である。
【図６】（ａ）は本発明の第３実施形態の吊り下げ構造を示す正面図であり、（ｂ）は本発明の第３実施形態の調整部材を示す正面図である。
【図７】（ａ）は本発明の第４実施形態の吊り下げ構造を示す分解斜視図であり、（ｂ）は本発明の第４実施形態の吊り下げ構造を示す正面図である。
【図８】図７（ｂ）のＢ１−Ｂ１線に沿った照明装置の一部の拡大断面図である。
【発明を実施するための形態】
【００１３】
（第１実施形態）
図１は本発明の第１実施形態の吊り下げ構造１を示す図であり、（ａ）が天井を構成する一部のパネル１００の裏側から俯瞰した分解図であり、（ｂ）がパネル１００に開けられた開口１００Ａに埋め込まれた状態の正面図である。
【００１４】
吊り下げ構造１は、天井裏のスラブ、鉄骨や別途設置したフレームなどの構造物に一端側を固定して垂れ下がる金属製で棒状の吊りボルト１０と、吊りボルト１０に取り付けられて照明装置２０を支持する調整部材３０と、調整部材３０を吊りボルト１０に固定する第１固定部材４０と、調整部材３０を照明装置２０に固定する第２固定部材５０と、を備えている。なお、図面では、吊りボルト１０は表面の螺子を省略して表されている。
【００１５】
図２は本発明の第１実施形態の調整部材３０を示す図であり、（ａ）が正面図であり、（ｂ）が平面図であり、（ｃ）が底面図であり、（ｄ）が左側面図であり、（ｅ）が右側面図である。
【００１６】
調整部材３０は、アルミニウムやその他の金属で構成された金具であり、全体が剛体として構成されている。調整部材３０は、照明装置取付用のローワー部３１０と、吊りボルト取付用のアッパー部３２０と、ローワー部３１０とアッパー部３２０とをつなぐよう設けられた左サイド部３３０と右サイド部３４０及び当接部３６０を備え、これらが連なって正面視で枠型を成している。
【００１７】
ローワー部３１０は、板状で輪郭が横長の矩形型に形成されており、面を上と下とに向けている。ローワー部３１０は後述するボルトを通す穴、例えば丸穴３１１を備えている。
【００１８】
アッパー部３２０は、ローワー部３１０と同様に、短冊型の板状に形成されており、面を上と下とに向けて横に広がっている。アッパー部３２０とローワー部３１０とは、距離を置いて上下に並び更に長手方向を揃えて、平行に配置されている。
【００１９】
アッパー部３２０は、ローワー部３１０における照明装置２０を取り付けるができる領域と比べて、吊りボルト１０を取り付けるができる領域、つまり固定位置の選択範囲が広く設定されている。図示例のアッパー部３２０は、ローワー部３１０の丸穴３１１と比べて大きく形成された穴、例えば横方向（長手方向）に沿って長く形成された長穴３２１を備えている。
【００２０】
左サイド部３３０は、ローワー部３１０の左端から立ち上がってアッパー部３２０の左端につながっており、左と右を向いた鉛直面を構成している。左サイド部３３０とローワー部３１０とが正面視で左下の角部３５１を構成し、左サイド部３３０とアッパー部３２０とが正面視で左上の角部３５２を構成している。
【００２１】
右サイド部３４０は、ローワー部３１０の右端から立ち上がってアッパー部３２０の右端の上まで延びており、左と右を向いた鉛直面を構成している。右サイド部３４０とローワー部３１０とが正面視で右下の角部３５３を構成している。
【００２２】
右サイド部３４０の上端側では、右サイド部３４０と当接部３６０とが正面視で右上の角部３５４を構成している。当接部３６０は、板状に形成されており、右サイド部３４０の上端からアッパー部３２０側へ延びて、アッパー部３２０の右端側の一部に重なっている。
【００２３】
吊り下げ構造１は、第１固定部材４０として、二つのナット４１０，４２０を備えている。吊りボルト１０が長穴３２１に入れられた状態で、吊りボルト１０に取り付けた二つのナット４１０，４２０がアッパー部３２０を挟んで、調整部材３０は吊りボルト１０に固定されている。
【００２４】
吊り下げ構造１は、第２固定部材５０として、調整部材３０を照明装置２０に取り付けるためのボルト（以下、調整部材用ボルト５１０と呼ぶ。）を備えている。調整部材用ボルト５１０は一般的なボルトであり、螺子が切ってある軸部と、軸部の一方の端に設けられており軸部より大きく形成された頭部とを備えている。調整部材用ボルト５１０が丸穴３１１を通って照明装置２０に締結されていて、調整部材用ボルト５１０の頭部と照明装置２０でローワー部３１０を挟んで、調整部材３０は照明装置２０に固定されている。なお、図示例の丸穴３１１は、ローワー部３１０の横に広がる領域の内、左サイド部３３０寄りの箇所に設けられている。
【００２５】
（照明装置）
照明装置２０は、底面が光の照射面として構成されており、さらにこの照射面と相対する装置上部に調整部材用ボルト５１０を取り付ける螺子穴２０１を備えている。
【００２６】
図示の照明装置２０は、装置下部が装置上部より広く形成されていて平面視で輪郭が円形に形成されており、２．５ｋｇ以上の重量型に構成されている。照明装置２０は、図示を省略するが、外観（照射面を除く。）を形成するハウジングがアルミニウムなどの金属で構成されて、表面から突き出る放熱部を複数備えている。照明装置２０は重さが３．０ｋｇ，４．０ｋｇなどの重量型に限らず例えば１．５ｋｇから２．５ｋｇのものでもよく、また外形や内部の構成も限定されるものではなく、さらに吊り下げ構造１では照明装置２０を支える吊りボルト１０を複数用いてもよい。
【００２７】
図３は本発明の第１実施形態の吊り下げ構造１の他の構成例を示す分解斜視図であり、光源が直線状に配置されて平面視で輪郭が横長の矩形型を成すライン照明装置２１を取付対象としている。ライン照明装置２１が二本の吊りボルト１０で支えられており、各吊りボルト１０と照明装置２１の間にはそれぞれ調整部材３０が設けられている。
【００２８】
（照明装置の取付方法）
次に、調整部材３０を用いた照明装置２０の取付方法について、予め天井を構成するパネル１００と、パネル１００に開いた開口１００Ａの上に吊りボルト１０とが設けられた状態を例に説明する。
【００２９】
先ず、調整部材３０を第２固定部材５０によって照明装置２０に取り付ける。第２固定部材５０を仮止め程度に締めて、調整部材３０が照明装置２０上で調整部材用ボルト５１０の軸部まわりの回転方向へ動かすことができる状態にする。
【００３０】
次に、照明装置２０をパネル１００の下方から開口１００Ａに入れる。照明装置２０の挿入と共に、照明装置２０上で調整部材３０を回転させて吊りボルト１０に合わせ、吊りボルト１０を長穴３２１に入れ、さらに調整部材３０を第１固定部材４０によって吊りボルト１０に取り付ける。第１固定部材４０を仮止め程度に締めて、調整部材３０を長穴３２１の長さの範囲内で吊りボルト１０に対して横方向へ動かすことができる状態にする。
【００３１】
最後に、照明装置２０の取付位置の微調整を行い、第１固定部材４０や第２固定部材５０を本締めして、調整部材３０を吊りボルト１０と照明装置２０とに固定する。
【００３２】
吊り下げ構造１では、吊りボルト１０が調整部材３０を介して照明装置２０を天井の開口１００Ａに保持する。照明装置２０を吊り下げた状態で、照明装置２０の荷重が調整部材３０に作用する。調整部材３０の構成の内、左サイド部３３０と右サイド部３４０とには下方へ引っ張る力が働き、右サイド部３４０側は左サイド部３３０側と比べて上端側がアッパー部３２０と連結していないため剛性が弱いが、当接部３６０がアッパー部３２０の上に配置されていて、右サイド部３４０の下方への移動を規制する。
【００３３】
本発明の第１実施形態の吊り下げ構造１によれば、調整部材３０が変形することを抑えて、照明装置２０を安定して開口１００Ａに保持することができる。
【００３４】
第１実施形態の取付方法によれば、剛体として構成された調整部材３０を照明装置２０上で向きを変えるだけで吊りボルト１０との位置合わせを行え、また調整部材３０の組み立ても不要であり、特許文献１などの従来の調整部材を用いた取付方法と比べて重量型の照明装置２０の取付が容易である。
【００３５】
（第１実施形態の変形例）
図４は本発明の第１実施形態の変形例の調整部材３１を示す図であり、（ａ）が正面図であり、（ｂ）が平面図であり、（ｃ）が（ｂ）のＡ１−Ａ１線に沿った部分の断面を拡大した図である。
【００３６】
調整部材３１は、上記の調整部材３０の構成に加えて、当接部３６０をアッパー部３２０に重ねた状態を一層強固に維持するロック部３７０を備えている。ロック部３７０は、当接部３６０の縁から下方へ突き出た爪部３７１と、長穴３２１の横に別途開けられていて爪部３７１が入る爪用穴３７２と、を備えている。
【００３７】
吊りボルト１０が調整部材３１を介して照明装置２０を開口１００Ａに保持した状態では、例えば照明装置２０の荷重による右サイド部３４０の下方への移動を、当接部３６０の爪部３７１がアッパー部３２０の爪用穴３７２に掛かって、抑える。
【００３８】
調整部材３１は、ロック部３７０を設けることで変形を一層抑えて、照明装置２０の取付の安定度を高めることができる。
【００３９】
（第２実施形態）
図５（ａ）は本発明の第２実施形態の吊り下げ構造２を示す正面図であり、パネル１００に開けられた開口１００Ａに入れた状態を示している。吊り下げ構造２は、上記の第１実施形態の吊り下げ構造１の構成に加えて、落下防止部材６０を備えている。
【００４０】
落下防止部材６０は、長尺状を成してその長手方向で向きを自在に変えることができるように構成されたものであり、例えばチェーンや複数の金属線を束ねたものなどを利用することができる。
【００４１】
落下防止部材６０は、以下の部材間に設けられる。
（ａ１）照明装置２０と天井裏の構造物との間
（ａ２）第１固定部材４０と照明装置２０との間
（ａ３）第２固定部材５０と天井裏の構造物との間
（ａ４）第１固定部材４０と第２固定部材５０との間
【００４２】
照明装置２０、天井裏の構造物、第１固定部材４０や第２固定部材５０は、フックやリング状の開口などの防止材取付部を備えており、落下防止部材６０のそれぞれの端を引っ掛けたり、結んだり、取り付けることができるように構成されている。
【００４３】
図示の構成は、上記（ａ４）の配置例に該当し、落下防止部材６０が第１固定部材４０と第２固定部材５０の間に設けられている。図５（ｂ）は落下防止部材６０の取付構造を示す図である。アッパー部３２０の上に配置されるナット４３０は、防止材取付部として、底面側に横へ張り出したフランジ部４３１と、フランジ部４３１に開けられた取付穴４３２と、を備えている。第２固定部材５０は、アイボルト５２０として構成されていて、ボルト頭部の上に防止材取付部としてリング部５２１を備えている。なお、図５（ｂ）では落下防止部材６０を破線で表している。
【００４４】
（照明装置の取付方法）
次に、調整部材３０を用いた照明装置２０の取付方法について、予め天井を構成するパネル１００と、パネル１００に開いた開口１００Ａの上に吊りボルト１０とが設けられた状態を例に説明する。
【００４５】
先ず、第１固定部材４０の一方のナット４３０を吊りボルト１０に取り付け、調整部材３０をアイボルト５２０によって照明装置２０に取り付ける。なお、アイボルト５２０を仮止め程度に締めて、調整部材３０を照明装置２０に取り付ける。仮止め状態で調整部材３０は、照明装置２０上でアイボルト５２０の軸部まわりの回転方向へ動かすことができる。
【００４６】
次に、チェーンなどの落下防止部材６０の両端を、例えばカラビナ型の連結具６１Ａ，６１Ｂを用いて、吊りボルト１０上のナット４３０と照明装置２０上のアイボルト５２０とに取り付ける。
【００４７】
照明装置２０をパネル１００の下方から開口１００Ａに入れる。照明装置２０の挿入と共に、調整部材３０の向きを変えて吊りボルト１０を長穴３２１に入れる。第１固定部材４０を仮止め程度に締めて、調整部材３０を吊りボルト１０に取り付ける。最後に、照明装置２０の取付位置の微調整を行い、第１固定部材４０や第２固定部材５０の本締めを行う。
【００４８】
第２実施形態の吊り下げ構造２によれば、チェーンなどの落下防止部材６０によって照明装置２０が吊りボルト１０から外れて落下することを防止する。
【００４９】
吊り下げ構造２では、照明装置２０を取り付ける作業において、落下防止部材６０を調整部材３０より先に照明装置２０と吊りボルト１０とを結ぶように設けることで、作業中の照明装置２０の落下も防止することができる。
【００５０】
（第３実施形態）
図６は本発明の第３実施形態の吊り下げ構造３を示す正面図であり、パネル１００に開けられた開口１００Ａに入れた状態を示している。吊り下げ構造３は、第１実施形態の吊り下げ構造１と比べて、調整部材３２の構成が異なっており、照明装置２２へ取り付ける際、照明装置２２の電源ケーブル２００との衝突を避けるように構成されている。
【００５１】
照明装置２２は、平らな上面に、上方へ突き出た取付座２１０と、電源ケーブル２００の根元部分２００Ｂと、を備えている。螺子穴２０１が取付座２１０に設けられている。
【００５２】
調整部材３２では、右サイド部３４０Ａが、アッパー部３２０側に上下に延びた鉛直面形成部３４１と、この鉛直面形成部３４１の下に設けられていて鉛直面形成部３４１より枠の内側へずれてローワー部３１０とつながる衝突回避部３４２とを、備えている。この衝突回避部３４２は、例えば斜面や曲面、或いは水平に延びた横部材と上下に延びた縦部材とが連なって、鉛直面形成部３４１とローワー部３１０との間に形成されている。また、ローワー部３１０は、アッパー部３２０と比べて短く形成されている。
【００５３】
（照明装置の取付方法）
次に、調整部材３２を用いた照明装置２２の取付方法について、予め天井を構成するパネル１００と、パネル１００に開いた開口１００Ａの上に吊りボルト１０とが設けられた状態を例に説明する。
【００５４】
先ず、調整部材３２を第２固定部材５０によって照明装置２２上に回転自在に取り付ける。次に、照明装置２２をパネル１００の下方から開口１００Ａに入れる。照明装置２２の挿入と共に、照明装置２２上で調整部材３２を回転させる。調整部材３２の向きを変える際、電源ケーブル２００の根元部分２００Ｂを曲げて、衝突回避部３４２の移動軌跡上から電源ケーブル２００をずらす。そして、調整部材３２を吊りボルト１０に合わせて、吊りボルト１０を長穴３２１に入れ、さらに第１固定部材４０を仮止め程度に締めて調整部材３２を吊りボルト１０に取り付ける。最後に、照明装置２２の取付位置の微調整を行い、第１固定部材４０や第２固定部材５０を本締めして、調整部材３２を吊りボルト１０と照明装置２２とに固定する。
【００５５】
第３実施形態においても、剛体として構成された調整部材３２を照明装置２２上で向きを変えるだけで吊りボルト１０との位置合わせを行えて、照明装置２２の取付が容易である。
【００５６】
（第４実施形態）
図７は本発明の第４実施形態の吊り下げ構造４を示す図であり、（ａ）が天井を構成する一部のパネル１００の裏側から俯瞰した分解図であり、（ｂ）がパネル１００に開けられた開口１００Ａ内に入れた状態の断面図である。吊り下げ構造４は、第１実施形態の吊り下げ構造１と異なり、調整部材３０に代えて、照明装置２３の位置を調整するための位置調整部２３０を照明装置２３に設けている。
【００５７】
第４実施形態で対象とする照明装置２３は、内部の光源，ヒートシンクや電源ユニットなどの構成やそれらの配置などは限定されるものではないが、その外形を構成するハウジングや正面のレンズ部などは樹脂で構成されていて、廊下や居間などに設ける小型で軽量に構成されたものである。なお、照明装置２３は、第１実施形態の照明装置２０と同様に底面が光の照射面として構成され、この照射面と相対する装置上部に位置調整部２３０を備えている。
【００５８】
図８は図７（ｂ）のＢ１−Ｂ１線に沿った照明装置２３の位置調整部２３０の断面を拡大した図である。位置調整部２３０は、上方を臨む上面部２３１と、この上面部２３１との間に空間Ｓを設けて被さる上面カバー部２３２と、空間Ｓ内を移動する可動部２３３と、可動部２３３に設けられる取付部２３４と、を備えている。位置調整部２３０は、吊りボルト１０が取り付けられる螺子穴２０１を除いて、その他の構成がプラスチックで構成されている。
【００５９】
上面部２３１は、可動部２３３の移動を妨げないよう、例えば平滑な面に形成されており、電源ユニットなどを収容するハウジングに設けられている。上面カバー部２３２は、中央に口２３２Ａを開けて形成されており、周縁側をハウジングに固定されている。可動部２３３は、板片状に形成されていて、全体を空間Ｓに入れられており、上面カバー部２３２の口２３２Ａより大きく、上面部２３１より小さく形成されている。取付部２３４は、可動部２３３の上に設けられており、上面カバー部２３２の口２３２Ａから外に現われている。取付部２３４には、螺子穴２０１が設けられている。なお、照明装置２３が、吊りボルト１０に代えて、下端が横に延びた或いは湾曲したフック部を備えた吊り下げ棒に取り付けられるよう、取付部２３４がフック部に掛かる穴部やリング部を備えてもよい。
【００６０】
上記の空間Ｓには、可動部２３３の移動を妨げる規制部２３６が設けられている。規制部２３６は、例えばリング状に形成されて上面部２３１の周縁に沿って設けられており、規制部２３６が可動部２３３の移動範囲を規定する。なお、可動部２３３と共に移動する取付部２３４は、上面カバー部２３２の口２３２Ａを形成する縁に当たらないように、構成されている。
【００６１】
（照明装置の取付方法）
次に、照明装置２３の取付方法について、予め天井を構成するパネル１００と、パネル１００に開いた開口１００Ａの上に吊りボルト１０とが設けられた状態を例に説明する。
【００６２】
先ず、照明装置２３を開口１００Ａにその下方から入れて、位置調整部２３０の取付部２３４を吊りボルト１０に合わせる。次に、位置調整部２３０の可動部２３３を空間Ｓ内で吊りボルト１０まわりの回転方向へ回して、吊りボルト１０と連結させる。吊りボルト１０との連結の際、或いは連結後に、吊りボルト１０に対して照明装置２３を動かして、開口１００Ａにおける照明装置２３の位置を調整する。
【００６３】
吊り下げ構造４では、吊りボルト１０が位置調整部２３０を介して照明装置２３を天井の開口１００Ａに保持する。照明装置２３は、吊りボルト１０に連結した状態では、取付部２３４と可動部２３３とを残して自重で下がり、少なくとも可動部２３３の周縁側が上面カバー部２３２に当たって、吊りボルト１０に支えられる。
【００６４】
第４実施形態の吊り下げ構造４によれば、第１実施形態のように調整部材３０を照明装置２３に固定する作業を省くことができる。
【００６５】
本発明は、上記の実施形態に限定されるものではない。第１実施形態は、重量型に構成された照明装置２０を劇場やホールの高天井に設ける場合に限らず、例えばプラスチック製のハウジングやレンズなどで外形が小型でさらに軽量型に構成され照明装置２０を廊下や居間などに設ける場合に利用することもできる。
【００６６】
調整部材は、図示例の寸法の比率を変えて構成されてもよい。また、調整部材は、図６（ｂ）に一点鎖線で示すように、右サイド部に加えて左サイド部も電源ケーブルとの衝突を回避するよう、鉛直面形成部３３１と衝突回避部３３２とで構成することもできる。落下防止部材６０の防止材取付部は、第１固定部材のナットや第２固定部材のボルトから外側へ張り出す凸状の部分として構成されるものに限らず、例えばナットやボルトの頭部に開けられた穴や溝などの凹状の部分を利用することができる。
【００６７】
本発明は、螺子穴２０１や取付部２１０が平面視で照明装置の中心に設けられたものに限らず、中心からずらして設けられた照明装置を対象とすることもできる。また、照明装置の平面視での輪郭は、円や矩形に限るものではなく、また対称や非対称に形成されたものであってもよい。また、本発明は、パネルなどを用いずに構造物が露呈した状態に構成される室内の高所などに複数の照明装置を整列して配置する場合にも利用してもよい。
【符号の説明】
【００６８】
１，２，３，４  吊り下げ構造
１０            吊りボルト
２０，２１，２２，２２  照明装置
２０１          螺子穴
２１０          取付座
２３０          位置調整部
２３１          上面部
２３２          上面カバー部
２３４          取付部
３０，３１，３２  調整部材
３１０          ローワー部
３１１          丸穴
３２０          アッパー部
３２１          長穴
３３０          左サイド部
３４０          右サイド部
３６０          当接部
３７０          ロック部
４０            第１固定部材
５０            第２固定部材
６０            落下防止部材
１００          パネル
１００Ａ        取付穴
【図１】
2019192483.tif 000003
【図２】
2019192483.tif 000004
【図３】
2019192483.tif 000005
【図４】
2019192483.tif 000006
【図５】
2019192483.tif 000007
【図６】
2019192483.tif 000008
【図７】
2019192483.tif 000009
【図８】
2019192483.tif 000010
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
天井の裏側に設けられた吊りボルトと、
上記吊りボルトに取り付けられて照明装置を支える調整部材と、を備えており、
上記照明装置の位置が上記調整部材によって調整されて、上記天井に開けられた開口に上記照明装置を保持する構造であって、
上記調整部材を上記吊りボルトに固定する第１固定部材と、
上記調整部材を上記照明装置に固定する第２固定部材と、を備えており、
上記調整部材が、
横方向に広がる板状に形成されていて、上記照明装置を上記第２固定部材によって下に取り付けられるローワー部と、
上記ローワー部の上に距離を置いて設けられ、上記横方向に広がる板状に形成されて上記横方向に延びた長穴を有していて、上記吊りボルトを上記長穴に通した状態で上記第１固定部材によって上記吊りボルトに取り付けられるアッパー部と、
上記ローワー部の一方の端から立ち上がり上記アッパー部の一方の端につながった左サイド部と、
上記ローワー部の他方の端から立ち上がった右サイド部と、
上記右サイド部の上端から上記アッパー部側へ延びて上記アッパー部の一部に重なる当接部と、を備え、
上記ローワー部と上記アッパー部と上記左サイド部と上記右サイド部と上記当接部とが一体に構成されていることを特徴とする、照明装置の吊り下げ構造。
【請求項２】
上記当接部を上記アッパー部の他方の端に重ねた状態に維持するロック部を備えていることを特徴とする、請求項１に記載の吊り下げ構造。
【請求項３】
長尺状に形成されており、一端側が上記第１固定部材に取り付けられ他端側が上記第２固定部材に取り付けられた落下防止部材を備えていることを特徴とする、請求項１又は請求項２に記載の吊り下げ構造。
【請求項４】
複数の上記吊りボルトと、それぞれの上記吊りボルトに取り付けられた上記調整部材と、を備えたことを特徴とする、請求項１から請求項３の何れかに記載の吊り下げ構造。
【請求項５】
上記照明装置がライン照明装置であることを特徴とする、請求項４に記載の吊り下げ構造。
【請求項６】
上記ローワー部が上記アッパー部と比べて短く形成されていて、
上記右サイド部及び上記左サイド部の一方又は両方が、上下に延びた鉛直面形成部と、上記鉛直面形成部の下に設けられていて上記鉛直面形成部より内側へずれて上記ローワー部とつながる衝突回避部とを、備えていることを特徴とする、請求項１から請求項５の何れかに記載の吊り下げ構造。
【請求項７】
照明装置取付用のローワー部と、上記ローワー部の上に距離を置いて設けられた吊りボルト取付用のアッパー部と、を備え、上記アッパー部において吊りボルトを取り付けることができる領域が上記ローワー部における照明装置を取り付けることができる領域より横に広がっていて、剛体として構成された調整部材を用いて、
天井埋め込み型の上記照明装置を、上記天井の裏側に設けられる上記吊りボルトに取り付ける方法であって、
上記調整部材が回転自在に上記ローワー部を上記照明装置上に仮止めされた状態で、上記照明装置を上記天井に開けられた開口に入れる工程と、
上記調整部材を上記照明装置上で回転して上記アッパー部を上記吊りボルトに合わせる工程と、
上記調整部材の上記アッパー部を上記吊りボルトに固定する工程と、
上記調整部材の上記ローワー部を上記照明装置に固定する工程と、を含むことを特徴とする、照明装置の取付方法。
【請求項８】
上記調整部材が上記ローワー部の端から立ち上がる右サイド部と左サイド部とを備えて、上記ローワー部が上記アッパー部と比べて短く形成されていて、
上記右サイド部及び上記左サイド部の一方又は両方が、上下に延びた鉛直面形成部と、上記鉛直面形成部の下に設けられていて上記鉛直面形成部より内側へずれて上記ローワー部とつながる衝突回避部とを、備えており、
上記アッパー部を上記吊りボルトに合わせる工程では、上記衝突回避部と上記照明装置の上面に設けられる電源ケーブルとが衝突しないよう上記調整部材を上記照明装置上で回転させることを特徴とする、請求項７に記載の照明装置の取付方法。
【請求項９】
天井の裏側に設けられた吊りボルトと、照明装置との間に設けられて、
上記吊りボルトに対する上記照明装置の位置を調整するための金具であって、
横方向に広がる板状に形成されていて、上記照明装置に固定するためのボルトを入れる穴を備えたローワー部と、
上記ローワー部の上に距離を置いて設けられ、上記横方向に広がる板状に形成されて上記吊りボルトを入れる長穴を上記横方向に沿って備えたアッパー部と、
上記ローワー部の一方の端から立ち上がり上記アッパー部の一方の端につながった左サイド部と、
上記ローワー部の他方の端から立ち上がった右サイド部と、
上記右サイド部の上端から上記アッパー部側へ延びて上記アッパー部の一部に重なる当接部と、を備え、
上記ローワー部と上記アッパー部と上記左サイド部と上記右サイド部と上記当接部とが一体に構成されていることを特徴とする、調整部材。
【手続補正２】
【補正対象書類名】明細書
【補正対象項目名】０００９
【補正方法】変更
【補正の内容】
【０００９】
また、本発明の照明装置の取付方法は、照明装置取付用のローワー部と、上記ローワー部の上に距離を置いて設けられた吊りボルト取付用のアッパー部と、を備え、上記アッパー部において吊りボルトを取り付けることができる領域が上記ローワー部における照明装置を取り付けることができる領域より横に広がっていて、剛体として構成された調整部材を用いて、天井埋め込み型の上記照明装置を、上記天井の裏側に設けられる上記吊りボルトに取り付ける方法である。上記照明装置の取付方法は、上記調整部材が回転自在に上記ローワー部を上記照明装置上に仮止めされた状態で、上記照明装置を上記天井に開けられた開口に入れる工程と、上記調整部材を上記照明装置上で回転して上記アッパー部を上記吊りボルトに合わせる工程と、上記調整部材の上記アッパー部を上記吊りボルトに固定する工程と、上記調整部材の上記ローワー部を上記照明装置に固定する工程と、を含む。
【手続補正３】
【補正対象書類名】明細書
【補正対象項目名】００１９
【補正方法】変更
【補正の内容】
【００１９】
アッパー部３２０は、ローワー部３１０における照明装置２０を取り付ける領域と比べて、吊りボルト１０を取り付ける領域、つまり固定位置の選択範囲が広く設定されている。図示例のアッパー部３２０は、ローワー部３１０の丸穴３１１と比べて大きく形成された穴、例えば横方向（長手方向）に沿って長く形成された長穴３２１を備えている。